(57)【要約】【課題】作業者の簡単な施錠作業によって、パチンコ玉やメダル等の勝ち玉類を収納した遊技媒体収納箱や遊技媒体収納箱内の勝ち玉類を第三者が持ち去ることがないようにし、蓋で閉じた１個の遊技媒体収納箱を床上に置いたり、台車等の上に積み上げた複数個の遊技媒体収納箱が転倒したり、崩れたりすることがないようにした。【解決手段】操作部（鍵溝６ｃ）の回動操作によって、蓋側連結部材６Ａの傾斜辺６ｇが玉箱側連結部材６Ｂの傾斜辺６ｐを押圧することで玉箱側連結部材６Ｂが下降し、玉箱側連結部材６Ｂの凹溝と凸部が嵌合し複数積み上げられた遊技媒体収納箱２、２…同士が順次従動連結され、操作部を他方向に回動操作した場合にあっては、蓋側連結部材６Ａの垂直辺６ｈが玉箱側連結部材６Ｂの垂直辺６ｑと当接し係合連結するが、玉箱側連結部材６Ｂが下降せず複数積み上げられた遊技媒体収納箱２、２…同士が従動連結されないようにした。【選択図】図１０
2008086512.tif 000002
【特許請求の範囲】
【請求項１】
上面が開口し、パチンコ玉やメダル等の遊技媒体を収納すると共に、上方側に傾斜辺と垂直辺と凹溝とを有する被連結構造とし、下方側に凸部を有する連結構造とした玉箱側連結部材を設けた遊技媒体収納箱と、前記遊技媒体収納箱の上面に被着され、上方側に回動操作する操作部を有し、下方側に傾斜辺と垂直辺を有する連結構造とした蓋側連結部材を設けた蓋とから成り、前記操作部の回動操作によって、前記蓋側連結部材の傾斜辺が前記玉箱側連結部材の傾斜辺を押圧することで前記玉箱側連結部材が下降し、前記玉箱側連結部材の凹溝と凸部が嵌合し複数積み上げられた遊技媒体収納箱同士が順次従動連結され、且つ、前記操作部を他方向に回動操作した場合にあっては、前記蓋側連結部材の垂直辺が前記玉箱側連結部材の垂直辺と当接し係合連結するが、前記玉箱側連結部材が下降せず複数積み上げられた遊技媒体収納箱同士が従動連結されないことを特徴とする遊技媒体収納箱。
【発明の詳細な説明】
【技術分野】
【０００１】
本発明は、遊技施設等においてパチンコ玉やメダル等の遊技媒体を収納するために使用する遊技媒体収納箱に関する。
【背景技術】
【０００２】
従来、パチンコやパチスロ等の遊技施設においては、パチンコ玉やメダル等の勝ち玉類を遊技機から遊技媒体収納箱に移し換え、１箱の遊技媒体収納箱が満杯になると、他の遊技媒体収納箱を積み上げた状態にして、遊技客の足元付近や遊技席の傍の床上に置いておき、遊技を続行する。そして、遊技が終了した後、遊技媒体収納箱ごとに計数機へ運んで、勝ち玉類の計数を行うことになる。
【０００３】
ところで、遊技中に、遊技客が食事や用事等で一時的に離席した際、第三者が遊技媒体収納箱内の勝ち玉類を持ち去り、また勝ち玉類を遊技媒体収納箱ごと持ち去るという不正行為が生じていた。
【０００４】
このような不正行為を防止するために、特許文献１に記載のパチンコ球収納箱は、パチンコ球を収納する箱体の適宜箇所に防犯用錠の取付部が設けられた構成を有する。具体的には、箱体の把手部に設けられた孔に鎖が通され、この鎖を椅子や遊技島に固定することによって箱体の移動を防止するものである。ところが、このような防犯用錠の鎖は切断されるおそれがあり、また各収納箱に鎖を通したり、鎖を椅子や遊技島に固定する作業が、店員にとって煩わしいものになるという不都合があった。
【特許文献１】特開２０００−３５０８５３号公報
【発明の開示】
【発明が解決しようとする課題】
【０００５】
本発明は、上記の事情に鑑みてなされたものであり、作業者（店員）の簡単な施錠作業によって、パチンコ玉やメダル等の勝ち玉類を収納した遊技媒体収納箱や遊技媒体収納箱内の勝ち玉類を第三者が持ち去ることがないようにし、１個の遊技媒体収納箱の上面開口に蓋を閉じた場合、床上に平衡状態で置くことができ、さらに台車等の上に積み上げた複数個の遊技媒体収納箱が転倒したり、崩れたりすることがないようにした遊技媒体収納箱を提供することを目的とする。
【課題を解決するための手段】
【０００６】
上記の問題を解決するために、本発明の請求項１に記載した遊技媒体収納箱は、上面が開口し、パチンコ玉やメダル等の遊技媒体を収納すると共に、上方側に傾斜辺と垂直辺と凹溝とを有する被連結構造とし、下方側に凸部を有する連結構造とした玉箱側連結部材を設けた遊技媒体収納箱と、前記遊技媒体収納箱の上面に被着され、上方側に回動操作する操作部を有し、下方側に傾斜辺と垂直辺を有する連結構造とした蓋側連結部材を設けた蓋とから成り、前記操作部の回動操作によって、前記蓋側連結部材の傾斜辺が前記玉箱側連結部材の傾斜辺を押圧することで前記玉箱側連結部材が下降し、前記玉箱側連結部材の凹溝と凸部が嵌合し複数積み上げられた遊技媒体収納箱同士が順次従動連結され、且つ、前記操作部を他方向に回動操作した場合にあっては、前記蓋側連結部材の垂直辺が前記玉箱側連結部材の垂直辺と当接し係合連結するが、前記玉箱側連結部材が下降せず複数積み上げられた遊技媒体収納箱同士が従動連結されないことを特徴とする。
【発明の効果】
【０００７】
本発明の遊技媒体収納箱によれば、１個の遊技媒体収納箱の上面開口を蓋で閉じた場合、蓋の縁部に設けられた連結部材に対する一方向への施錠操作によって、遊技媒体収納箱の開口縁に設けられた連結部材が下降することなく回動するため、遊技媒体収納箱の連結部材が下方へ突出することがなく、この蓋を閉じた遊技媒体収納箱を床上に安定した平衡状態で置くことができる。
【０００８】
また、複数個積み上げた遊技媒体収納箱の最上段の遊技媒体収納箱の上面開口を蓋で閉じた場合、蓋の連結部材に対する他方向への施錠操作によって、蓋の連結部材と遊技媒体収納箱の連結部材とを結合することができるため、一度の施錠操作によって、積み上げられた複数の遊技媒体収納箱に蓋を閉じた状態で結合固定することができる。
【０００９】
従って、作業者（店員）の簡単な施錠作業によって、１個又は複数個積み上げられた遊技媒体収納箱のすべての連結部を一度に結合することができ、遊技媒体収納箱内の勝ち玉類の盗難を防止し、積み上げた玉箱が崩れたりすることを防止することが可能となり、施錠を行うことで、万一盗難にあっても蓋を外すことができないため、セキュリティー面でも有益となる。
【発明を実施するための最良の形態】
【００１０】
以下、本発明の実施例について図面を参照しながら説明する。
【実施例１】
【００１１】
以下、本発明による遊技媒体収納箱（以下、本実施例では「玉箱」という）２に蓋３を設けた構造を「蓋付き玉箱」と称し、本実施例ではこの蓋付き玉箱１について詳細に述べる。図１は１個の玉箱２の上端開口を蓋３で閉じる構成を図示したものである。図２は玉箱２の上端開口を蓋３で閉じた状況を示す斜視図である。蓋３は、図２に示すように玉箱２の上端開口を閉塞する平板形状の蓋板９と該蓋板９の角部に設けられた連結部４Ａとを有する。蓋板９の上面には夫々の蓋３を判別可能にした台番号や遊技店が記載された紙面９ａが装着可能とされている。
【００１２】
この蓋３の連結部（以下、蓋３の連結部を「蓋側連結部」という）４Ａの構造は、図３に示すように、蓋板９の角部に形成された円筒形状の外筒（以下、蓋３の外筒を「蓋側外筒」という）５Ａを有し、この外筒５Ａは上端に円形内孔５ｃを有する鍔部５ｄが形成され、外筒５Ａの内部には、その下方から、連結部材（以下、蓋３の連結部材を「蓋側連結部材」という）６Ａとバネ部材７Ａとキャップ８Ａとが装着される構造とされている。
【００１３】
これらの構成をより詳細に述べると、図５（ａ）、（ｂ）に示すように、蓋側連結部材６Ａは上部に施錠鍵１０（図７（ａ）参照）が挿入される鍵溝（本発明における操作部に該当する）６ｃが設けられ、その下部は段部６ｄを有して外径が縮小した円筒部６ｅが設けられ、該円筒部６ｅの下部は略半周を切り欠いた案内溝６ｆの一側に円弧状に傾斜してなる傾斜辺６ｇが形成されると共に、この案内溝６ｅの他側には垂直辺６ｈが形成されている。また、蓋側連結部材６Ａの円筒部６ｅの側部下端付近には１個の係合ピン６ｉが突出形成されている。
【００１４】
また、図３に示すように、バネ部材７Ａは、コイル形状を有し、蓋側連結部材６Ａの外周に下方から装着して、図７（ａ）に示すように蓋側連結部材６Ａの段部６ｄで係止される。さらに、キャップ８Ａは、図３に示すように、蓋側外筒５Ａの下端部に当接する（図７（ａ）参照）鍔部８ｃと、該鍔部８ｃの内部に円形内孔８ｄと、該内孔８ｄに沿って立設された円形ガイド８ｅとから構成されている。この円形ガイド８ｅには蓋側連結部材６Ａの円筒部６ｅに設けられた係合ピン６ｉを縦方向に挿通可能に形成した２条のガイド溝８ｆ、８ｆが形成されている。
【００１５】
上記の部材からなる蓋側連結部４Ａを組み立てるには、図７（ａ）に示すように、蓋側連結部材６Ａの下方からバネ部材７Ａを段部６ｄで係止されるまで装着し、キャップ８Ａの円形ガイド８ｅのいずれかのガイド溝８ｆを蓋側連結部材６Ａの係合ピン６ｉに沿って挿通すると共に、円形ガイド８ｅの外周にバネ部材７Ａを嵌合した状態にして、バネ部材７Ａの下端をキャップ８Ａの鍔部８ｃで支持し、この状態の蓋側連結部材６Ａの上部を蓋側外筒５Ａの内孔５ｃに挿通し、蓋側外筒５Ａの下端にキャップ８Ａの鍔部８ｃを当てて接着剤又は螺合構造等により固定する。
【００１６】
一方、玉箱２は、図１又は図２に示すように、上記の蓋３によって閉塞される上面が開口した有底の箱形状をなし、その内部に、図１のように例えば勝ち玉Ｐを収納することができる。玉箱２の両側には取手１１、１１が形成され、対向する隅部２箇所には連結部（以下、玉箱２の連結部を「玉箱側連結部」という）４Ｂ、４Ｂが形成されている。これらの玉箱側連結部４Ｂ、４Ｂは互いに同様の構成を有し、蓋３を閉める方向によって、いずれかの玉箱側連結部４Ｂが上記の蓋側連結部４Ａに結合される。
【００１７】
以下、一方の玉箱側連結部４Ｂの構成について説明すると、図４に示すように、玉箱２の角部に円筒形状の外筒（以下、玉箱２の外筒を「玉箱側外筒」という）５Ｂが形成されている。この玉箱側外筒５Ｂは玉箱２の深さに相当する高さを有する。
【００１８】
また、玉箱側外筒５Ｂの内孔５ｃの内周には、図７（ａ）に示すように、玉箱側外筒５Ｂの上端から少なくとも蓋側連結部材６Ａの係合ピン６ｉを回動し得る上下幅の内周溝１２をあけて円環形状突起１３が形成されている。
【００１９】
上記のように形成された玉箱側外筒５Ｂの下方から、図４に示すように、連結部材（以下、玉箱２の連結部材を「玉箱側連結部材」という）６Ｂとバネ部材７Ｂとキャップ８Ｂとが装着される。
【００２０】
玉箱側連結部材６Ｂは、図６（ａ）又は(ｂ)に示すように、円柱形状の本体６ｊの上部に円筒部６ｋが突出形成され、該円筒部６ｋには上記の蓋３の蓋側連結部材６Ａの傾斜辺６ｇと垂直辺６ｈに夫々対応する傾斜辺６ｐと垂直辺６ｑとが形成されている。即ち、円筒部６ｋの上部は略半周を切り欠いた案内溝６ｍの一側に円弧状に傾斜してなる傾斜辺６ｐが形成されると共に、案内溝６ｍの他側に垂直辺６ｑが形成されている。また、玉箱側連結部材６Ｂの高さの略中間位置の外周には円環形状のストッパ６ｎが突出形成され、本体６ｊの下端付近の外周には互いに反対位置に２個の係合ピン６ｒ、６ｒが突出形成されている。
【００２１】
さらに、玉箱側連結部材６Ｂの円筒部６ｋの上端には、同様の幅の２個の凹溝６ｓ、６ｓが離間して形成されると共に、玉箱側連結部材の本体６ｊの下端には上記の上端に設けられた２個の凹溝６ｓ、６ｓに嵌合する２個の凸部６ｔ、６ｔが形成されている。
【００２２】
玉箱側連結部材６Ｂのバネ部材７Ｂは、図４に示すようにコイル形状を有し、玉箱側連結部材６Ｂの外周に下方から装着して、図７（ａ）に示す玉箱側連結部材６Ｂのストッパ６ｎで係止される。さらに、キャップ８Ｂは、図４に示すように、上記の玉箱側外筒５Ｂの下端部に当接する鍔部８ｃと、該鍔部８ｃの内部に形成された円形内孔８ｄと、該内孔８ｄに沿って立設された円形ガイド８ｅとから構成されている。この円形ガイド８ｅには玉箱側連結部材６Ｂの係合ピン６ｒ、６ｒを縦方向に挿通可能にする２条のガイド溝８ｆ、８ｆが形成されている。さらに、円形ガイド８ｅにはガイド溝８ｆ、８ｆの下部から周方向に円形ガイド８ｅの周囲の約４分の１程度の長さを有する横溝８ｇ、８ｇが形成されている。
【００２３】
上記のように構成された玉箱側連結部４Ｂを組み立てるには、図７（ａ）に示すように、玉箱側連結部材６Ｂの下方からバネ部材７Ｂをストッパ６ｎで係止されるまで装着し、キャップ８Ｂの円形ガイド８ｅに設けられた夫々のガイド溝８ｆ、８ｆを玉箱側連結部材６Ｂの係合ピン６ｒ、６ｒに沿って挿通すると共に、円形ガイド８ｅの外周にバネ部材７Ｂを嵌合した状態にしてバネ部材７Ｂの下端をキャップ８Ｂの鍔部８ｃで支持する。次いで、この状態の玉箱側連結部材６Ｂの上部を玉箱側外筒５Ｂの下方から内孔５ｃに挿通し、玉箱側外筒５Ｂの下端にキャップ８の鍔部８ｃを当てて接着剤又は螺合構造等により固定する。
【００２４】
図２は上記の構成による１個の玉箱２に蓋３を被せた状態を示す斜視図であり、図１０は複数（一例として３個）の玉箱２、２…を積み上げ、最下部の玉箱２を台車１５に固定したものである。台車１５は、図９に示すように、その下部四方にキャスター１６、１６…が取り付けられている。この台車１５は、一例として玉箱２を２列に積み上げることができる適宜の面積を有し、その上面には、２列分の玉箱２に対応する玉箱側連結部４Ｂ、４Ｂ…に相当する位置に連結部（以下、台車連結部を「台車側連結部」という）１７、１７…が形成されている。台車側連結部１７の内部構造は不図示であるが、台車側連結部１７の内周に玉箱側連結部材６Ｂの係合ピン６ｒ、６ｒを嵌めこんで回動することができる溝形状が形成されている。なお、台車１５の上面端部付近には、図１１に示すＵ字形アーム棒１９の下端部を嵌合する取付け孔１８、１８が形成されている。
【００２５】
上記のように構成された本実施例の構成を用いて、１個の玉箱２に蓋３を閉じて施錠状態にする場合について説明する。以下の説明で使用する図７（ａ）〜(ｃ)は、蓋側外筒５Ａに収納された蓋側連結部材６Ａと玉箱側外筒５Ｂに収納された玉箱側連結部材６Ｂとの係合関係を示す図であり、図８（ａ）〜(ｄ)は、蓋側連結部材６Ａと玉箱側連結部材６Ｂの係合関係を模式的に示す図面である。
【００２６】
まず、図２に示すように、玉箱２の上面開口に蓋３を被せることによって、蓋側連結部４Ａが玉箱２のいずれかの玉箱側連結部４Ｂに合致した状態となる（図７（ａ）の状態）。この状態は、図８（ａ）に示すように、蓋側連結部材６Ａと玉箱側連結部材６Ｂが離間した状態にある。
【００２７】
次いで、図７(ｂ)に示すように、蓋側連結部材６Ａの鍵溝６ｃに施錠鍵１０を差し込んで下方へ押し込むと、蓋側連結部材６Ａの係合ピン６ｉがキャップ８Ａのガイド溝８ｆに案内されることによって玉箱側外筒５Ｂ内の内周溝１２に嵌合する（図８(ｂ)に示す状態）と共に、蓋側連結部材６Ａの円筒部６ｅが玉箱側連結部材６Ｂの案内溝６ｍ（図８(ｂ)参照）に嵌まり込むが、蓋側連結部材６Ａの係合ピン６ｉが玉箱側外筒５Ｂの円環形状突起１３に当たって、それ以上、玉箱側連結部材６Ｂを下方へ押し込むことができない。この状態で、図７(ｂ)に示すように、施錠鍵１０を図示の左周りに回転すると、蓋側連結部材６Ａの係合ピン６ｉが玉箱側外筒５Ｂの内周溝１２に沿って回動してロックされた状態となる。
【００２８】
また、この施錠操作によって、図８(ｄ)に示すように、蓋側連結部材６Ａの垂直辺６ｈが玉箱側連結部材６Ｂの垂直辺６ｑに当接して、玉箱側連結部材６Ｂを左周りへ回動するが、図７(ｃ)に示すように、玉箱側連結部材６Ｂの係合ピン６ｒは玉箱側連結部材６Ｂのキャップ８Ｂの横溝８ｇに入って玉箱側連結部材６Ｂの回動の妨げとならずにすむ。
【００２９】
以上のように、図７（ａ）〜(ｃ)に示す構造において、施錠鍵１０を左周りに回動する施錠操作により、玉箱側連結部材６Ｂは下降することなく、蓋側連結部材６Ａが玉箱側外筒５Ｂに結合されるが、玉箱側連結部材６Ｂは玉箱側外筒５Ｂの下端から下方へ突出することがなく、蓋３で閉塞された玉箱２の底面全体が床上に安定した状態で設置することが可能となる。
【００３０】
また、図１０に示すように、複数個の玉箱２、２…を積み上げて、最上段の玉箱２に蓋３を被せた場合、図１２（ａ）に示すように、蓋側連結部４Ａと各玉箱連結部４Ｂ、４Ｂ…とが順次合致した状態となる。このとき、蓋側連結部材６Ａと最上の玉箱側連結部材６Ｂとは、図８（ａ）に示すように離間した状態にある。次いで、図１２(ｂ)に示すように、蓋側連結部材６Ａの鍵溝６ｃに施錠鍵１０を差し込んで下方へ押し込むと、蓋側連結部材６Ａの係合ピン６ｉがキャップ８Ａのガイド溝８ｆに案内されることによって玉箱側外筒５Ｂ内の内周溝１２に嵌合するが、この状態では、最上の玉箱側連結部材６Ｂは下降することがなく、またその下方の玉箱側連結部材６Ｂもまた下降することがない。
【００３１】
この状態で、図１３（ａ）に示すように、施錠鍵１０を図示の右周りに回動すると、図８(ｃ)に示すように、蓋側連結部材６Ａの傾斜辺６ｇが玉箱側連結部材６Ｂの傾斜辺６ｑを押圧することによって、玉箱側連結部材６Ｂを下降させる。この動作によって、中段以下の玉箱側連結部材６Ｂもまた順次下降して積み上げられた各玉箱側連結部材６Ｂ、６Ｂ…が嵌合すると共に、最下段の玉箱側連結部材６Ｂの下端が玉箱側外筒５Ｂの下端から下方に突出する。このとき、図１０に示すように、台車１５に積み上げた複数個の玉箱２、２…の最下段の玉箱側連結部材６Ｂが下方に突出して、積み上げられた各玉箱側連結部材６Ｂ、６Ｂ…が嵌合すると共に、最下段の玉箱側連結部材６Ｂが台車側連結部１７の内周溝に嵌まり込む。
【００３２】
また、上記のように各玉箱側連結部材６Ｂ、６Ｂ…が回動することによって、上段の玉箱側連結部材６Ｂからその下段の玉箱側連結部材６Ｂへと、夫々の玉箱側連結部材６Ｂの上端と下端に設けられた凸部６ｔと凹溝６ｓと順次嵌合して各玉箱側連結部材６Ｂ、６Ｂ…が結合される。
【００３３】
さらに、施錠鍵１０を右周りに回動することにより、各玉箱側連結部材６Ｂ、６Ｂ…の係止ピン６ｒが各玉箱側外筒５Ｂの内周溝１２及び台車側連結部１７の内周溝に嵌まり込むことによって、蓋３と積み上げられた各玉箱２、２…を連結固定すると共に、台車１５に固定する。
【００３４】
なお、上記の説明では、図１０に示すように、一個又は複数個積み上げた玉箱２の上面を閉塞した蓋３の蓋側連結部材６Ａに対する施錠操作によって玉箱側連結部材６Ｂを台車１５の台車側連結部１７に結合する構成としてあるが、このような台車１５だけではなく、台車側連結部１７と同様の連結構造を不図示の置き板に形成し、この置き板を既存の台車１５の上に置き板を載せるか、さらには台車側連結部１７と同様の連結構造を不図示の床に設けることによって、この置き板や床に上記の蓋３の蓋側連結部材６Ａに対する施錠操作によって一個又は複数個積み上げた玉箱２を固定する構成にしてもよい。
【産業上の利用可能性】
【００３５】
本発明の玉箱は、パチンコ玉やメダル等の勝ち玉類を収納した遊技媒体収納箱や遊技媒体収納箱内の勝ち玉類を第三者が持ち去ることがないようにし、蓋で閉じた１個の遊技媒体収納箱を床上に置いたり、台車等の上に積み上げた複数個の遊技媒体収納箱が転倒したり、崩れたりすることないようにした遊技媒体収納箱として利用可能である。
【図面の簡単な説明】
【００３６】
【図１】本発明による１個の遊技媒体収納箱（玉箱）と蓋との分解斜視図である。
【図２】本発明による１個の遊技媒体収納箱（玉箱）箱に蓋を閉じて施錠した状態を示す斜視図である。
【図３】本発明による蓋の連結部の分解斜視図である。
【図４】本発明による遊技媒体収納箱（玉箱）の連結部の分解斜視図である。
【図５】(ａ)と(ｂ)は、本発明に係る蓋側連結部材の側面図と斜視図である。
【図６】(ａ)と(ｂ)は、本発明に係る玉箱側連結部材の側面図と斜視図である。
【図７】(ａ)〜(ｃ)は、本発明による遊技媒体収納箱（玉箱）の連結部と玉箱の連結部との連結状態を示す断面斜視図であり、(ａ)は施錠前の状況、(ｂ)は施錠鍵を押し込んだ状況、(ｃ)は施錠鍵を回した状況を示す。
【図８】（ａ）〜(ｄ)は、蓋側連結部材と玉箱側連結部材の係合関係を模式的に示す図面である。
【図９】本発明による複数個の遊技媒体収納箱（玉箱）と蓋と台車とを結合する前の分解斜視図である。
【図１０】本発明による複数個の遊技媒体収納箱（玉箱）と蓋と台車とを結合した状態を示す斜視図である。
【図１１】本発明による複数個の遊技媒体収納箱（玉箱）と蓋と台車とを結合すると共に台車にアーム棒を取り付けた分解斜視図である。
【図１２】本発明による蓋側連結部と複数個積み上げた玉箱側連結部との連結状態を示す断面斜視図であり、(ａ)は施錠前の状況、(ｂ)は施錠鍵を押し込んだ状況を示す。
【図１３】本発明による蓋側連結部と複数個積み上げた玉箱側連結部との連結状態を示す断面斜視図であり、(ａ)は施錠鍵を右回りに回動した状況、(ｂ)は施錠鍵をさらに回動した状況を示す。
【符号の説明】
【００３７】
１  蓋付き玉箱
２  玉箱（遊技媒体収納箱）
３  蓋
３ａ  蓋板
４Ａ  蓋側連結部
４Ｂ  玉箱側連結部
５Ａ  蓋側外筒
５Ｂ  玉箱側外筒
５ｃ  円形内孔
５ｄ  鍔部
６Ａ  蓋側連結部材
６Ｂ  玉箱側連結部材
６ｃ  鍵溝（操作部）
６ｄ  段部
６ｅ  円筒部
６ｆ  案内溝
６ｇ  傾斜辺
６ｈ  垂直辺
６ｉ  係合ピン
６ｊ  本体
６ｋ  円筒部
６ｐ  傾斜辺
６ｑ  垂直辺
６ｍ  案内溝
６ｎ  ストッパ
６ｒ  係合ピン
６ｓ  凹溝
６ｔ  凸部
７Ａ  バネ部材
７Ｂ  バネ部材
８Ａ  キャップ
８Ｂ  キャップ
８ｃ  鍔部
８ｄ  円形内孔
８ｅ  円形ガイド
８ｆ  ガイド溝
９  蓋板
９ａ  紙面
１０  施錠鍵
１１  取手
１２  内周溝
１３  円環形状突起
１５  台車
１６  キャスター
１７  台車側連結部
１８  取付け孔
１９  アーム棒
Ｐ  遊技媒体
【図１】
2008086512.tif 000003
【図２】
2008086512.tif 000004
【図３】
2008086512.tif 000005
【図４】
2008086512.tif 000006
【図５】
2008086512.tif 000007
【図６】
2008086512.tif 000008
【図７】
2008086512.tif 000009
【図８】
2008086512.tif 000010
【図９】
2008086512.tif 000011
【図１０】
2008086512.tif 000012
【図１１】
2008086512.tif 000013
【図１２】
2008086512.tif 000014
【図１３】
2008086512.tif 000015